(57)【特許請求の範囲】
【請求項１】
釣竿の竿体に装着されるグリップであって、
前記竿体外周に配置され、軽量にするために無数の孔を内部に有する多孔質部材からなるコア材と、
前記コア材の表面を覆うように配置され、消臭剤が含まれている非孔質部材からなる表面材と、
前記竿体にはめ込まれ、前記コア材と前記表面材とから構成される部材の軸方向前後に配置される固定リングと
を備えたグリップ。
【請求項２】
前記コア材は、発泡樹脂材，紙材若しくはコルク材である、請求項１に記載のグリップ。
【請求項３】
前記表面材は抗菌剤が含まれている、請求項１または２に記載のグリップ。
【請求項４】
前記コア材は内部に中空部を有する、請求項１〜３のいずれかに記載のグリップ。
【請求項５】
前記表面材は熱収縮性弾性体である、請求項１〜４のいずれかに記載のグリップ。
【発明の詳細な説明】
【０００１】
【発明の属する技術分野】
本発明は、釣竿の竿体に装着され釣人が把持するグリップに関する。
【０００２】
【従来の技術】
釣竿の手元側には、釣竿を把持するためのグリップが設けられている。このグリップには、別途成型したものを釣竿の竿体に嵌め込むタイプのものと、竿体と一体的に成型されるタイプのものがある。グリップは釣人が把持する部分であり、把持した際の感覚が重要視される部分である。このため、グリップにはさまざまな材料が用いられ、また様々な形状が施されて、好ましい弾力性，フィット感を提供できるように形成されている。一方、釣竿の軽量化も重要な要素の１つであり、釣竿に装着されるグリップも軽量化が必要である。
【０００３】
以上のような観点から、釣竿用グリップは、例えば、天然コルクを用いたものや、ウレタンゴム等の合成樹脂などによって形成されている。
【０００４】
【発明が解決しようとする課題】
従来の天然コルク，ポリウレタンゴム等は、部材中に無数の孔を有する多孔質材である。これらの多孔質材は軽量化及びグリップ感という点では好ましいが、グリップの表面に現れる無数の孔にゴミやほこり等が入り込んで、グリップが汚れるとともに、このゴミやほこり等から異臭が生じる恐れがある。特に、魚釣りを行い、魚に触れた手や濡れた手で把持する場合が多いグリップは、汚れやすくまた臭いがつきやすい。
【０００５】
本発明の課題は、軽量でかつ汚れにくい釣竿用のグリップを提供することにある。
【０００６】
【課題を解決するための手段】
発明１にかかるグリップは、釣竿の竿体に装着されるグリップであって、竿体外周に配置され、軽量にするために無数の孔を内部に有する多孔質部材からなるコア材と、コア材の表面を覆うように配置される非孔質部材からなり、消臭剤が配合された表面材と、竿体にはめ込まれ、コア材と表面材とから構成される部材の軸方向前後に配置される固定リングとを備えている。
【０００７】
この場合には、無数の孔を有し比較的比重の小さい多孔質からなるコア材がグリップを軽量化している。一方で、コア材の表面には非孔質部材からなる表面材が配置され、釣人が直接触れる部分には孔が形成されていない。この結果、グリップ表面にゴミやほこり等がつきにくく、また魚を触れた手や濡れた手で触っても臭いがつきにくい。また、グリップを把持した際に滑りにくくグリップ感も好ましい。なお、この非孔質部材とは部材の内部及び表面に複数の孔を有さないものであり、例えば、スチレンゴム，シリコンゴム，天然ゴム等のゴム部材や、その他の合成樹脂等が挙げられる。
【０００８】
発明２にかかるグリップは、発明１のグリップであって、コア材は、発泡樹脂材，紙材若しくはコルク材である。
この場合には、無数の孔を有し比較的比重が小さい発泡樹脂材，紙材若しくはコルク材が、グリップ全体を軽量化している。また、適度な弾性がありグリップ感にも優れる。
【０００９】
発明３にかかるグリップは、発明１または２のグリップであって、表面材は抗菌剤が含まれている。この場合には、釣人が触れる表面材に混入された消臭剤及び抗菌剤が、不快な臭いの発生を抑える。この表面材はコア材の表面にのみ配置されており、グリップ全体に消臭剤及び抗菌剤を混入する必要がないので、製造コストも抑えられまた製造が容易である。
【００１０】
発明４にかかるグリップは、発明１〜３のいずれかに記載のグリップであって、コア材は内部に中空部を有する。
この場合には、コア材内部に中空部が形成されているので、コア材の材質の弾性力に加えてこの中空部が演出する弾力性によりグリップ感がさらに向上する。
【００１１】
発明５にかかるグリップは、発明１〜４のいずれかに記載のグリップであって、表面材は熱収縮性弾性体である。この場合には、コア材を竿体の外周面に配置後にそのコア材の上から表面材を配置し、表面材を熱収縮させることにより表面材とコア材とを竿材に固定可能である。表面材及びコア材を十分に竿体に固定でき耐久性に優れると共に製造も容易である。
【００１２】
【発明の実施の形態】
［第１実施形態］
以下、本発明の第１実施形態について図面を参照しつつ説明する。
【００１３】
図１に示すように、釣竿の元竿１０は、竿体１と、竿体１の外周面に穂先側から順に配置される前グリップ２，リールシート３及び竿元グリップ４とを有している。
【００１４】
竿体１は、例えば炭素繊維等の強化繊維に樹脂を含浸させたシート状プリプレグをマンドレルに巻回して成型された筒状のものであり、穂先側が細いテーパ状である。竿体１の表面には塗装等によって商品イメージに合わせた着色等が施されている。
【００１５】
前グリップ２は、竿体１の外周面に固定される穂先側がやや小径になるように形成された先細りテーパ状の円筒部材である。前グリップ２の軸方向前後には、竿体１にはめ込まれた金属または硬質合成樹脂からなる固定リングＲが配置されている。また、図２に詳しく示すように、この前グリップ２は、竿体１の周面に配置されるコア材１１と、コア材１１の表面を覆うように配置される表面材１２とを有している。
【００１６】
コア材１１は、無数の孔を内部に有するポリウレタン樹脂等の発泡樹脂材からなる円筒部材であり、竿体１の周面上に固定されている。例えば、所定の形状に形成したものを竿体１にはめ込んで接着固定するほかに、竿体１の外周面に直接射出成型等によって成型固定してもよい。
【００１７】
表面材１２は、天然ゴムやシリコンゴム，スチレンゴム等の合成ゴムからなる部材である。例えば、アクティマー（商標），レオストマー（商標）等のスチレンブロック系樹脂やサントプレーン（商標），ラバロン（商標）等のゴム性樹脂を用いることができる。この表面材１２は前グリップ２の側周面全体及び固定リングに接する軸方向端面にわたってコア材１１を覆うように配置されている。コア材１１を配置した竿体１を所定の型に入れて、コア材１１上に直接射出成型して表面材１２を成型固定することも可能である。
【００１８】
なお、竿元グリップ４も前グリップ２と同様に、コア材１１及び表面材１２の２層から構成されている。
このように構成された前グリップ２は、無数の孔を有し比較的比重の小さい多孔質からなるコア材１１が前グリップ２全体を軽量化している。一方で、釣人が直接触れる部分であるコア材１１の表面の表面材１２には孔が形成されていない。この結果、前グリップ２の表面にはゴミやほこり等がつきにくく、また魚を触れた手や濡れた手で触っても臭いがつきにくい。また、グリップを把持した際に滑りにくく、コア材が優れた弾性を演出するのでグリップ感も好ましい。
【００１９】
［第２実施形態］
以下、本発明の第２実施形態について、図面を参照しつつ説明する。
本発明の第２実施形態を採用した前グリップ２０は、図３に示すように、竿体１の外周面に固定される穂先側がやや小径になるように形成された先細りテーパ状の円筒部材である。前グリップ２０の軸方向前後には、竿体１にはめ込まれた金属または硬質合成樹脂からなる固定リングＲが配置されている。この前グリップ２０は、竿体１の周面に配置されるコア材２１と、コア材２１の表面を覆うように配置される表面材２２とを有している。
【００２０】
コア材２１は、無数の孔を内部に有するポリウレタン樹脂等の発泡樹脂材またはコルク材からなる円筒部材であり、竿体１の周面上に固定されている。また、このコア材２１は内部に中空部２３が形成されている。中空部２３は竿体１の周方向に連続して形成され、また軸方向にも連続して形成されている。また、表面材２２は、第１実施形態と同様に、天然ゴムやシリコンゴム，スチレンゴム等の合成ゴムからなる部材である。これらのゴム材中には消臭剤や抗菌剤が配合されている。
【００２１】
このように構成された前グリップ２０は、第１実施形態と同様の作用効果を奏する。また、釣人が触れる表面材２２に混入された消臭剤や抗菌剤が、不快な臭いの発生を抑える。この表面材２２はコア材２１の表面にのみ配置されており、前グリップ２０全体に消臭剤や抗菌剤を混入する必要がないので、製造コストも抑えられまた製造が容易である。さらに、コア材２１中の中空部２３がコア材２１の材質による弾性に加えてさらに良好な弾力性を演出し、グリップ感を向上させる。
【００２２】
［第３実施形態］
以下、本発明の第３実施形態について図面を参照しつつ説明する。
本発明の第３実施形態を採用した前グリップ３０は、図４に示すように、竿体１の外周面に固定される穂先側がやや小径になるように形成された先細りテーパ状の円筒部材である。前グリップ３０の軸方向前後には、竿体１にはめ込まれた金属または硬質合成樹脂からなる固定リングＲが配置されている。この前グリップ３０は、竿体１の周面に配置されるコア材３１と、コア材３１の表面を覆うように配置される表面材３２とを有している。
【００２３】
コア材３１は、比較的硬質のボール紙等からなる円筒部材であり、竿体１の周面上に固定されている。また、このコア材３１は内部に竿体１の軸方向に区分された複数の中空部３３が形成されている。コア材３１の厚みに対応して穂先側の中空部３３ほど竿体１の径方向の高さは小さくなっている。また、表面材３２は、第１実施形態と同様に、天然ゴムやシリコンゴム，スチレンゴム等の合成ゴムからなる部材である。コア材３１を固定した竿体１を型に入れてコア材３１上に直接射出成形等によって成形固定することも可能である。
【００２４】
このように構成された前グリップ３０は、第１実施形態と同様の作用効果を奏する。また、コア材３１中の中空部３３がコア材３１の材質による弾性に加えてさらに良好な弾力性を演出し、グリップ感を向上させる。特に、複数の中空部３３がコア材３１内において区分されて形成されているので、グリップ感が好ましい。
【００２５】
［他の実施形態］
（ａ）グリップの形状は円筒型に限定されるものではなく、竿体に装着可能なものであればどのような形状でもよい。
（ｂ）コア材は上記実施形態に限定されるものではなく、多孔性の比重の小さい軽い部材であればよい。
（ｃ）表面材として熱収縮性弾性体を用いることにより、以下のような製法が可能になる。コア材を竿体の外周面に配置後にそのコア材の上から表面材を配置し、表面材を熱収縮させることにより表面材とコア材とを竿材に固定する。この結果、より製造が容易になると共に耐久性がさらに向上する。
【００２６】
【発明の効果】
本発明にかかるグリップはコア材と表面材との２層構造であり、軽量でかつ汚れにくい。
【図面の簡単な説明】
【図１】本発明の第１実施形態を採用したグリップを装着した釣竿の元竿を示した図。
【図２】図１の前グリップの拡大断面図。
【図３】本発明の第２実施形態を採用した前グリップの拡大断面図。
【図４】本発明の第３実施形態を採用した前グリップの拡大断面図。
【符号の説明】
１  元竿
２，２０，３０  前グリップ
４  竿元グリップ
１１，２１，３１  コア材
１２，２２，３２  表面材
２３，３３  中空部
【図１】
0004233662.tif 000002
【図２】
0004233662.tif 000003
【図３】
0004233662.tif 000004
【図４】
0004233662.tif 000005